(57)【特許請求の範囲】
【請求項１】
空調負荷に基づいて圧縮機を駆動させるエンジンと、前記エンジンの余剰動力によって駆動される発電機と、商用電源からの受電電力に基づいて前記発電機の発電量の増減を制御する系統連系インバータとを備えた複数の室外機を有し、前記複数の室外機が、少なくとも一つの親機を含み、この親機が前記受電電力の情報を受信すると共に、各子機に個別に当該子機の発電状況に関するデータを要求し、前記親機が各子機から送信される発電状況データを受信して、各子機の発電量の変更値を算出し、この変更データを各子機に送信することを特徴とする空調・発電システム。
【請求項２】
空調負荷に基づいて圧縮機を駆動させるエンジンと、前記エンジンの余剰動力によって駆動される発電機と、商用電源からの受電電力に基づいて前記発電機の発電量の増減を制御する系統連系インバータとを備えた複数の室外機を有し、前記複数の室外機が、少なくとも一つの親機を含み、この親機が前記受電電力の情報を受信し、少なくとも一つの子機に対し、当該受電電力の情報を送信し、受信した子機が自己の発電量の変更値を算出し、変更値に従い発電すると共に、自己の発電状況データを親機に送信し、前記親機と子機間の送信情報を他の子機が取得し、他の子機が前記取得した送信情報に基づいて自己の発電量の変更値を算出し、変更値に従い発電することを特徴とする空調・発電システム。
【発明の詳細な説明】
【技術分野】
【０００１】
本発明は、複数の室外機を備える空調・発電システムに関する。
【背景技術】
【０００２】
従来のエンジン駆動式空気調和装置では、冷媒を圧縮する圧縮機をガスエンジンなどのエンジンで駆動し、空調運転を行わせている。近年、このガスエンジンに発電機を連結し、この発電機で発電された電力を、例えば室外熱交換器への送風を行う送風機或いはエンジンを冷却する冷却水ポンプなどの負荷装置に供給し、電力供給レスの空調機の実現が模索されている（例えば、特許文献１参照）。
【特許文献１】特開平５−２３１７４５号公報
【発明の開示】
【発明が解決しようとする課題】
【０００３】
上述の構成を有する室外機を複数台用いた空気調和装置では、各室外機が独立して発電を行うこととなる。これら室外機での発電電力を商用系統に系統連系した場合、独立して発電する室外機をいかに制御するかが課題となる。
仮に、ＣＴ（カレントセンサ）又はＷ／ＴＤ（ワット・トランスデューサ）をそれぞれの室外機に設け、このＣＴ又はＷ／ＴＤからの受電電力の情報を用いて、系統連系インバータによる発電量を決定するとすれば、ＣＴ又はＷ／ＴＤの数が増加しコストがかかり、その分の設置スペースが必要となる。
本発明は、上述した事情に鑑みてなされたものであり、各室外機の発電電力量を効率よく制御できる空調・発電システムを提供することを目的とする。
【課題を解決するための手段】
【０００４】
本発明は、空調負荷に基づいて圧縮機を駆動させるエンジンと、前記エンジンの余剰動力によって駆動される発電機と、商用電源からの受電電力に基づいて前記発電機の発電量の増減を制御する系統連系インバータとを備えた複数の室外機を有し、前記複数の室外機が、少なくとも一つの親機を含み、この親機が前記受電電力の情報を受信すると共に、各子機に個別に当該子機の発電状況に関するデータを要求し、前記親機が各子機から送信される発電状況データを受信して、各子機の発電量の変更値を算出し、この変更データを各子機に送信することを特徴とする。
【０００５】
また、本発明は、空調負荷に基づいて圧縮機を駆動させるエンジンと、前記エンジンの余剰動力によって駆動される発電機と、商用電源からの受電電力に基づいて前記発電機の発電量の増減を制御する系統連系インバータとを備えた複数の室外機を有し、前記複数の室外機が、少なくとも一つの親機を含み、この親機が前記受電電力の情報を受信し、少なくとも一つの子機に対し、当該受電電力の情報を送信し、受信した子機が自己の発電量の変更値を算出し、変更値に従い発電すると共に、自己の発電状況データを親機に送信し、前記親機と子機間の送信情報を他の子機が取得し、他の子機が前記取得した送信情報に基づいて自己の発電量の変更値を算出し、変更値に従い発電することを特徴とする。
【発明の効果】
【０００６】
本発明によれば、親室外機が他の室外機に受電電力に基づく動作情報を送信しているので、ＣＴ又はＷ／ＴＤを各室外機に設けることなく、各室外機の発電電力量を効率よく制御できる。
【発明を実施するための最良の形態】
【０００７】
次に図面を参照して本発明の好適な実施の形態について詳細に説明する。
（第１実施形態）
以下、本発明の実施の形態について図を参照しながら以下に説明する。
図１は、室外機が１つの場合のガスエンジン駆動式の空気調和装置１を示しており、まず、図１を用いてこの空気調和装置１の概要を説明する。
この空気調和装置１は、室外機２と２つの室内機３とを有し、これらを液管４ａおよびガス管４ｂからなるユニット間配管４で接続して構成されている。室外機２には、ガスエンジン１０と、このガスエンジン１０の駆動力により発電を行う発電機１１と、ガスエンジン１０の駆動力により冷媒を圧縮する圧縮機１２とが収容されている。このガスエンジン１０は、燃料調整弁７を経て供給されるガスなどの燃料と、スロットル弁８を経て供給される空気との混合気を燃焼させて駆動力を発生する。
【０００８】
上記圧縮機１２は、大小異容量の圧縮機１２ａ，１２ｂで構成され、２台が並列に、ガスエンジン１０に対し、それぞれ電磁クラッチ１４ａ，１４ｂを介して接続されている。これら圧縮機１２ａ，１２ｂの吐出管１２ｃは、プレート式熱交換器３１、四方弁１５、室外熱交換器１７の順に接続され、この室外熱交換器１７には、液管４ａを介して、室内機３の膨張弁１９、室内熱交換器２１が接続され、室内熱交換器２１には、ガス管４ｂを介して、四方弁１５が接続され、この四方弁１５には、圧縮機１２ａ，１２ｂが接続されている。また、この圧縮機１２ａ，１２ｂの吐出管１２ｃおよび吸込管１２ｄが、バイパス管１８で接続され、このバイパス管１８に、アンロード用のバイパス弁２０が接続されている。
【０００９】
ちなみに、圧縮機１２ａ，１２ｂが駆動されると、四方弁１５の切り替え状態で、それが暖房切り替えであれば、実線の矢印で示すように、圧縮機１２ａ，１２ｂ、四方弁１５、室内熱交換器２１、膨張弁１９、室外熱交換器１７の順に冷媒が循環し、室内熱交換器２１での冷媒凝縮熱により室内が暖房される。これとは反対に、四方弁１５が冷房切り替えであれば、破線の矢印で示すように、圧縮機１２ａ，１２ｂ、四方弁１５、室外熱交換器１７、膨張弁１９、室内熱交換器２１の順に冷媒が循環し、この室内熱交換器２１での冷媒蒸発熱により室内が冷房される。
【００１０】
つぎに、ガスエンジン１０の冷却装置について説明する。
このガスエンジン１０は水冷式であり、このガスエンジン１０のウォータージャケットを循環した冷却水は、第１の三方弁２２、逆潮流ヒータ２３および第２の三方弁２４を経て、ラジエター２５に供給される。このラジエター２５は、室外熱交換器１７と併設されており、これらは同一の送風機２６により送られる空気によって空冷され、このラジエター２５を経た冷却水は、冷却水ポンプ２７、排ガス熱交換器２９の順に流れて、ガスエンジン１０のウォータージャケットに戻される。
排ガス熱交換器２９には、ガスエンジン１０の排気ガスが通され、この排気ガスは、排気トップ３０を経て、室外機２の外に排出される。
【００１１】
上述した第１の三方弁２２は冷却水温度で自動的に切り替えられる。すなわち、冷却水温度が所定温度よりも低い場合、ガスエンジン１０のウォータージャケットからの冷却水を、ラジエター２５をバイパスし、直接、冷却水ポンプ２７、排ガス熱交換器２９の順に導いて、上記ウォータージャケットに戻す。
第２の三方弁２４は、例えば暖房運転時に切り替えられ、この場合、冷却水はラジエター２５をバイパスし、プレート式熱交換器３１を経て、冷却水ポンプ２７、排ガス熱交換器２９の順に流れ、ウォータージャケットに戻される。
【００１２】
つぎに、発電機１１による発電系統について説明する。
この発電機１１には、系統連系インバータ３３が接続され、この系統連系インバータ３３は、発電機１１からの三相交流電力を、ＡＣ／ＤＣコンバータを介して、直流電力に変換した後、１００／２００Ｖの交流の電力に変換して、商用系統３５に出力する。この商用系統３５は、商用電源３６と、ブレーカ３７と、需要家負荷３８とを含み、系統連系インバータ３３は、ブレーカ３７と、需要家負荷３８との間に接続されている。
【００１３】
また、この系統連系インバータ３３は、上述した逆潮流ヒータ２３に適宜電力を供給すると共に、室外機２の室外側コントローラ３９に、通信線４０を介して通信可能に接続されている。そして、この室外側コントローラ３９は、商用系統３５から電源線４１を介して動作電源を得ると共に、通信線４２を介して室内機３の室内側コントローラに通信可能に接続されている。
【００１４】
この系統連系インバータ３３には、商用電源３６およびブレーカ３７の間に設置された電力検出器４３が接続されている。この電力検出器４３は、商用系統３５に供給される電力値をリアルタイムに取得し、この取得した電力値データが、系統連系インバータ３３に入力され、通信線４０を介して室外側コントローラ３９に送られる。
また、系統連系インバータ３３は、発電機１１の発電量を制御する機能を有し、必要に応じ、発電量を減少または増大させる。また、この発電は、発電機１１が、圧縮機１２を駆動する余剰動力を用いて行われる。
【００１５】
上記構成において、例えば室内機３側の空調要求に応じて、圧縮機１２ａ，１２ｂの負荷が増大すると共に、商用系統３５の需要家負荷３８の増大に応じて、発電要求が増大した場合、エンジン１０の負荷が増大する。
需要家負荷３８は、電力検出器４３、系統連系インバータ３３および室外側コントローラ３９により常時監視されている。
また、電力検出器４３と室外機２との間には系統連系盤６０が接続されている。
【００１６】
図２は、図１の室外機が４つの場合を例示する空調・発電システム１００の概要接続図である。
系統連系盤６０は、ＯＶＧＲ／ＲＰＲ（地絡過電圧継電器／逆電力継電器）６１、ＵＰＲ（不足電力継電器）６２、Ｗ／ＴＤ（ワット・トランスデューサ）６４を備えている。この系統連系盤６０は、電力検出器４３として設けられた商用電源の電圧を検出するＶＴ（電圧トランスデューサ）４３ａ及び電流を検出するＣＴ（電流トランスデューサ）４３ｂからの信号を受信するようになっていると共に、ＯＶＧＲ／ＲＰＲ６１、ＵＰＲ６２からの信号が室外機２ａのインバータ基板５４に送られるようになっている。これにより、詳細は後述する系統連系インバータ３３ａが、商用電源３６の情報を得ることができるようになっている。
【００１７】
４つの室外機２ａ〜２ｄは、図２に示すように、それぞれ系統連系インバータ３３ａ〜３３ｄが設けられている。また、この系統連系インバータ３３ａ〜３３ｄには、図１における室外側コントローラ３９が含まれている。
この系統連系インバータ３３ａには、電源基板５１ａ、メイン基板５２ａ、インターフェース基板５３ａ及びインバータ基板５４ａがそれぞれ設けられている。同様に、系統連系インバータ３３ｂ〜３３ｄには、電源基板５１ｂ〜５１ｄ、メイン基板５２ｂ〜５２ｄ、インターフェース基板５３ｂ〜５３ｄ及びインバータ基板５４ｂ〜５４ｄがそれぞれ設けられている。
発電機１１ａは、スイッチ５５ａを介してインバータ基板５４ａにそれぞれ接続されており、このスイッチ５５ａによってそれぞれ切り替え自在になっている。同様に、発電機１１ｂ〜１１ｄは、スイッチ５５ｂ〜５５ｄを介してインバータ基板５４ｂ〜５４ｄにそれぞれ接続されており、このスイッチ５５ｂ〜５５ｄによってそれぞれ切り替え自在になっている。
【００１８】
また、これらの電源基板５１ａ、メイン基板５２ａ、インターフェース基板５３ａ及びインバータ基板５４ａは、それぞれが相互にデータの通信が可能に構成されている。同様に、これらの電源基板５１ｂ〜５１ｄ、メイン基板５２ｂ〜５２ｄ、インターフェース基板５３ｂ〜５３ｄ及びインバータ基板５４ｂ〜５４ｄは、それぞれが相互にデータの通信が可能に構成されている。
【００１９】
メイン基板５２ａ〜５２ｄは、図示せぬＣＰＵ、ＲＯＭ、ＲＡＭ等を備え、ＣＰＵは、ＲＯＭ内の制御プログラムに従って室外機２ａ〜２ｄを制御する。ＲＯＭは、制御プログラムを含む制御用データをあらかじめ記憶している。ＲＡＭは、接続された各室外機２の発電状況データ及び受電電力の情報を含む受電電力データを格納するデータテーブルを備えている。
インターフェース基板５３ａ、５３ｂ、５３ｃ、５３ｄは、ＣＴ４３ｂまたはＷ／ＴＤ６４の信号から、発電すべき電力量を算出し、インバータ基板５４ａ、５４ｂ、５４ｃ、５４ｄに出力する。ここで、室外機２ａ、２ｂ、２ｃ、２ｄは、同一のアルゴリズムに基づいて、それぞれ個別に発電量を算出している。
【００２０】
インバータ基板５４ａ、５４ｂ、５４ｃ、５４ｄは、上述したように、発電機１１ａ、１１ｂ、１１ｃ、１１ｄからの三相交流電力を、ＡＣ／ＤＣコンバータを介して、直流電力に変換した後、１００／２００Ｖの交流の電力に変換するものである。このインバータ基板５４ａ、５４ｂ、５４ｃ、５４ｄは、インターフェース基板５３ａ、５３ｂ、５３ｃ、５３ｄの算出結果に基づいて、発電機１１ａ、１１ｂ、１１ｃ、１１ｄの発電量を制御し、発電機１１ａ、１１ｂ、１１ｃ、１１ｄが発電した電力を電源基板５１ａ、５１ｂ、５１ｃ、５１ｄに出力する。
電源基板５１ａ、５１ｂ、５１ｃ、５１ｄには、それぞれ商用電源３６が接続されており、各インバータ基板５４ａ、５４ｂ、５４ｃ、５４ｄで１００／２００Ｖの交流の電力に変換された電力を商用系統３５に出力する。
【００２１】
室外機２ａは、図示せぬ親子設定スイッチにより、親室外機２ａ（以下、親機２ａという）として予め設定され、残りの室外機２ｂ、２ｃ、２ｄは、子室外機２ｂ、２ｃ、２ｄ（以下、子機２ｂ、２ｃ、２ｄという）として予め設定されている。
親機２ａのインターフェース基板５３ａには、系統連系盤６０からＣＴ４３及びＷ／ＴＤ６４の信号が送信されるようになっている。一方、子機２ｂ、２ｃ、２ｄのインターフェース基板５３ｂ、５３ｃ、５３ｄには、これらの信号は送信されないようになっている。
また、親機２ａ、子機２ｂ、２ｃ、２ｄは、図２に示すように、それぞれがユニット間通信７１によって通信可能になっている。また、親機用インバータ３３ａ、子機用インバータ３３ｂ、３３ｃ、３３ｄは、インバータ間通信７２によって通信可能になっている。
【００２２】
親機に設定された親機２ａのインターフェース基板５３ａは、各子機２ｂ、２ｃ、２ｄのインターフェース基板５３ｂ、５３ｃ、５３ｄに対して定期的に通信を行い、ＣＴ４３ｂまたはＷ／ＴＤ６４の信号に基づく受電電力の情報を含む受電電力データと、親機２ａの発電状況に基づくインバータ情報を含む親機データとを送信する。
親機２ａのインターフェース基板５３ａから受電電力データと親機データとが送信された子機２ｂ〜２ｄのインターフェース基板５３ｂ〜５３ｄは、自身の発電状況に基づくインバータ情報を子機データとして親機２ａに送信する。
親機２ａとデータの送受信を行っていないその他の子機２ｂ〜２ｄは、上述した親機データ及び子機データを取得することができる。
遠隔監視盤８０は、システム全体を監視するための監視盤であり、Ｗ／ＴＤ４４から出力された受電電力パルス及び親機２ａ、子機２ｂ、２ｃ、２ｄの発電状況を取得している。
【００２３】
図３は、系統連系インバータ３３ａ〜３３ｄの制御についての説明図である。
図３において、縦軸は受電電力Ｐの値を示し、この受電電力の範囲をゾーン（１）〜（５）の５つのゾーンに分けている。また、順潮電流基準値（順潮＋１ｋｗ）をＰｓ、制御目標電流値（Ｐｓ＋α）をＰｔで示している。
【００２４】
例えば、商用電力を２ｋｗ使用しなければならない場合、全体の受電電力がこの２ｋｗを下回ることがないように各室外機２ａ〜２ｄで発電を行うものであり、この場合、上述のＰｓ＝３ｋｗ、Ｐｔ＝（３＋α）ｋｗに設定される。ここで、αは、この系統連系システムにおいて任意に決定することのできる定数である。
【００２５】
各ゾーンについて説明すると、ゾーン（１）は、受電電力ＰがＰｓ＋０．５＝３．５ｋｗよりも大きい領域をいう。受電電力Ｐがこの領域にある場合には、受電電力Ｐが目標値であるＰｔよりも上回っているので、各室外機２ａ〜２ｄでの発電量を増加させ、目標値であるＰｔまで受電電力を下げるように系統連系インバータ３３が制御される。
【００２６】
ゾーン（２）は、受電電力Ｐが、Ｐｓから（ＰＳ＋０．５）までの領域をいい、この範囲に制御目標電力値Ｐｔがある。このゾーン（２）は、さらに、Ｐｔから（Ｐｓ＋０．５）までの範囲と、ＰｓからＰｔまでの範囲の２つの範囲に分けられている。
Ｐｔから（Ｐｓ＋０．５）までの範囲では、受電電力Ｐが目標値であるＰｔよりも若干上回っているので、受電電力ＰをＰｔまで下げるように、各室外機２ａ〜２ｄでの発電量が追加されるように制御される。なお、Ｐｔから（Ｐｓ＋０．５）までの範囲での発電量の変化率は、ゾーン（１）での変化率よりも小さくなっている。
ＰｓからＰｔまでの範囲では、受電電力Ｐが目標値であるＰｔよりも若干下回っているので、受電電力ＰをＰｔまで上げるように、各室外機２ａ〜２ｄでの発電量が削減されるように制御される。
【００２７】
ゾーン（３）は、受電電力Ｐが、（Ｐｓ−０．５）からＰＳまでの領域をいう。受電電力Ｐがこの領域にある場合には、受電電力Ｐが目標値であるＰｔよりも下回っているので、各室外機２ａ〜２ｄでの発電量を削減させ、目標値であるＰｔまで受電電力を上げるように系統連系インバータ３３が制御される。なお、ゾーン（３）での発電量の変化率は、Ｐｓからｐｔまでの範囲での変化率よりも大きくなっている。
【００２８】
ゾーン（４）は、受電電力Ｐが０から（Ｐｓ−０．５）までの領域をいう。受電電力Ｐがこの領域にある場合には、受電電力Ｐが目標値であるＰｔよりもかなり下回っているので、現在運転中の各室外機２ａ〜２ｄの系統連系インバータ３３ａ〜３３ｄの発電量を過回転停止しない限界まで削減するように系統連系インバータ３３ａ〜３３ｄが制御される。
【００２９】
ゾーン（５）は、受電電力Ｐが０よりも小さい領域をいう。受電電力Ｐがこの領域にある場合には、受電電力Ｐが使用しなければならない２ｋｗを下回っているので、各室外機２ａ〜２ｄの系統連系インバータ３３を停止して、発電を停止させるように制御される。
【００３０】
このように、受電電力Ｐがゾーン（１）からゾーン（５）にある場合に、個々の状態で系統連系インバータ３３ａ〜３３ｄを制御することにより、使用しなければならない電力を下回らないようにしている。
【００３１】
次に、上述の構成を備えたＧＨＰの室外機を系統連系する制御方法について、図４（ａ）、図４（ｂ）及び図４（ｃ）を用いて説明する。
先ず、親機２ａは、系統連系盤６０からＣＴ４３ｂまたはＷ／ＴＤ６４の情報に基づく受電電力情報を取得し、データテーブルに格納する。受電電力情報を格納すると、親機２ａは、子機２ｂに対して、子機２ｂの発電状況及び可能発電量を含む情報のデータ要求を行う。
子機２ｂは、親機２ａからデータ要求を受信すると、発電状況及び可能発電量を含む子機データ（発電状況データ）Ｄ１の送信準備、すなわち、子機２ｂのインターフェース基板５３ｂによる子機用インバータ３３ｂからのの取得を行う。
【００３２】
インターフェース基板５３ｂがインバータ情報を取得し、子機データＤ１の送信準備が完了すると、子機２ｂは、図４（ｂ）に示すように、子機データＤ１を親機２ａに送信する。
子機データＤ１を受信すると、親機２ａは、子機データＤ１をデータテーブルに格納する。子機データＤ１をデータテーブルに格納すると、親機２ａは、同様に子機２ｃ、２ｄとのデータの送受信を行い、子機２ｃから子機データＤ２、子機２ｄから子機データＤ３を取得し、これをデータテーブルに格納する。
子機データＤ３をデータテーブルに格納すると、親機２ａは、格納した受電電力情報、子機データＤ１、Ｄ２、Ｄ３に基づいて、親機２ａ、各子機２ｂ、２ｃ、２ｄの発電量の変更値を算出する。
親機２ａ、各子機２ｂ、２ｃ、２ｄの発電量の変更値を算出すると、親機２ａは、図４（ｃ）に示すように、算出結果を親機データ（変更データ）として各子機２ｂ、２ｃ、２ｄにそれぞれ送信し、各子機２ｂ、２ｃ、２ｄは、親機データに基づいて発電量を変更する。
親機２ａと、インバータ間通信７２で接続された全ての子機２ｂ〜２ｄとの上述したデータの送受信が完了すると、親機２ａが系統連系盤６０からＣＴ４３ｂまたはＷ／ＴＤ６４の信号を新たに取得し、親機２ａ及び子機２ｂ〜２ｄは一連のデータの送受信処理を順次繰り返す。
【００３３】
本発明の実施の形態に係る空調・発電システム１００によれば、親機２ａが他の室外機２ｂ〜２ｄの発電量を算出し、算出結果に基づいて各室外機２ｂ〜２ｄを制御しているので、ＣＴ４３ｂ又はＷ／ＴＤ６４を各室外機２ｂ〜２ｄに設けることなく、各室外機２ｂ〜２ｄの発電電力量を効率よく制御できる。
【００３４】
（第２実施形態）
別の実施形態によるＧＨＰの室外機を系統連系する制御方法について、図５（ａ）及び図５（ｂ）を用いて説明する。
本実施形態における空調・発電システム１００は、上記第１実施形態と同じ構成を備えており、室外機２の発電量の制御方法が異なる。
先ず、親機２ａは、系統連系盤６０からＷ／ＴＤ６４の信号を取得する。次いで親機２ａは、取得したＷ／ＴＤ６４の信号に基づいて、受電電力及び自身の発電量を算出し、算出した発電量で発電を開始する。
算出した発電量で発電を開始すると、親機２ａは、子機２ｂを送信先として、インバータ間通信７２を介して自身の発電状況を含む親機データ（発電状況データ）Ｄｏ及び受電電力データＤｄを送信する。なお、この送信は、親機２ａが発電しているか否かに関わらず送信する。親機２ａが送受信するデータは、インバータ間通信７２に接続されている全ての子機２ｂ〜２ｄが個別に取得可能であり、各子機２ｂ〜２ｄは、親機２ａから子機２ｂに対して親機データＤｏ及び受電電力データＤｄが送信された場合に自身宛でなくともこれを取得する。
【００３５】
子機２ｂは、親機２ａから親機データＤｏ及び受電電力データＤｄを受信すると、これをデータテーブルに格納し、子機２ｂの発電状況の情報に基づく子機データＤ１の送信準備を行う。
次いで子機２ｂは、格納した親機データＤｏ及び受電電力データＤｄに基づいて、自身の発電量を算出し、算出した発電量で発電を開始する。
算出した発電量で発電を開始すると、子機２ｂは、親機２ａを送信先として、自身の発電状況を含む子機データＤ１を送信する。
【００３６】
一方、親機２ａから子機２ｂに対して送信されたデータＤｏ、Ｄｄを取得した他の子機２ｃ及び子機２ｄは、この親機データＤｏ及び受電電力データＤｄをデータテーブルに格納する。
子機２ｃ及び子機２ｄは、格納した親機データＤｏ及び受電電力データＤｄに基づいて、自身の発電量を算出し、算出した発電量で発電を開始する。
【００３７】
また、他の子機２ｃ及び子機２ｄは、子機２ｂが子機データＤ１を親機２ａに送信する際にも、この子機データＤ１を個別に取得し、取得した子機データＤ１をデータテーブルに格納する。
子機２ｃ及び子機２ｄは、格納した子機データＤ１に基づいて、自身の発電量を算出し、算出した発電量で発電を開始する。
【００３８】
親機２ａは、受信した子機データＤ１を受信すると、これをデータテーブルに格納し、子機２ｃを送信先として、インバータ間通信７２を介して自身の発電状況を含む親機データＤｏ及び受電電力データＤｄを送信する。
【００３９】
子機２ｃは、親機２ａから親機データＤｏ及び受電電力データＤｄを受信すると、これをデータテーブルに格納し、子機２ｃの発電状況の情報に基づく子機データＤ２の送信準備を行う。
次いで子機２ｃは、格納した親機データＤｏ及び受電電力データＤｄに基づいて、自身の発電量を算出し、算出した発電量で発電を開始する。
算出した発電量で発電を開始すると、子機２ｃは、親機２ａを送信先として、自身の発電状況を含む子機データＤ２を送信する。
【００４０】
一方、親機２ａから子機２ｃに対して送信されたデータＤｏ、Ｄｄを受信した他の子機２ｂ及び子機２ｄは、この親機データＤｏ及び受電電力データＤｄをデータテーブルに格納する。
子機２ｂ及び子機２ｄは、格納した親機データＤｏ及び受電電力データＤｄに基づいて、自身の発電量を算出し、算出した発電量での発電を開始する。
【００４１】
また、他の子機２ｂ及び子機２ｄは、子機２ｃが子機データＤ２を親機２ａに送信する際にも、この子機データＤ２を個別に取得し、取得した子機データＤ２をデータテーブルに格納する。
子機２ｂ及び子機２ｄは、格納した子機データＤ２に基づいて、自身の発電量を算出し、算出した発電量で発電を開始する。
【００４２】
親機２ａは、受信した子機データＤ２を取得すると、これをデータテーブルに格納し、子機２ｄを送信先として、インバータ間通信７２を介して自身の発電状況を含む親機データＤｏ及び受電電力データＤｄを送信する。
【００４３】
子機２ｄは、親機２ａから親機データＤｏ及び受電電力データＤｄを受信すると、これをデータテーブルに格納し、子機２ｄの発電状況の情報に基づく子機データＤ３の送信準備を行う。
次いで子機２ｄは、格納した親機データＤｏ及び受電電力データＤｄに基づいて、自身の発電量を算出し、算出した発電量で発電を開始する。
算出した発電量で発電を開始すると、子機２ｄは、親機２ａを送信先として、自身の発電状況を含む子機データＤ３を送信する。
【００４４】
一方、親機２ａから子機２ｄに対して送信されたデータＤｏ、Ｄｄを受信した他の子機２ｂ及び子機２ｃは、この親機データＤｏ及び受電電力データＤｄをデータテーブルに格納する。
子機２ｂ及び子機２ｃは、格納した親機データＤｏ及び受電電力データＤｄに基づいて、自身の発電量を算出し、算出した発電量で発電を開始する。
【００４５】
また、他の子機２ｂ及び子機２ｃは、子機２ｄが子機データＤ３を親機２ａに送信する際にも、この子機データＤ３を個別に取得し、取得した子機データＤ３をデータテーブルに格納する。
子機２ｂ及び子機２ｃは、格納した子機データＤ３に基づいて、自身の発電量を算出し、算出した発電量で発電を開始する。
【００４６】
親機２ａは、受信した子機データＤ３を取得すると、これをデータテーブルに格納する。親機２ａと、インバータ間通信７２で接続された全ての子機２ｂ〜２ｄとの上述したデータの送受信が完了すると、親機２ａが系統連系盤６０からＷ／ＴＤ６４の信号を新たに取得し、親機２ａ及び子機２ｂ〜２ｄは一連のデータの送受信処理を順次繰り返す。
【００４７】
本発明の実施の形態に係る空調・発電システム１００によれば、親機２ａが他の室外機２ｂ〜２ｄに受電電力に基づく動作情報を送信しているので、ＣＴ４３ｂ又はＷ／ＴＤ６４を各室外機２ｂ〜２ｄに設けることなく、各室外機２ｂ〜２ｄの発電電力量を効率よく制御できる。
また、複数の室外機２の子機２ｂ〜２ｄがそれぞれ個別に発電量を算出するため、第１実施形態に示したように、親機２ａが各子機２ｂ〜２ｄの発電量を算出して各子機２ｂ〜２ｄに送信する必要がない。これにより、親機２ａの通信回数が減少するため、各室外機２ａ〜２ｄの発電量を制御するための処理間隔を短縮することができ、システム全体の情報処理速度を向上させることができる。
さらに、親機２ａが各子機２ｂ〜２ｄとデータの送受信を行う度に、各子機２ｂ〜２ｄはそれぞれ独自に発電量を算出して発電量をこまめに変更するため、受電電力に対する発電量の追従性を向上させることができる。
さらにまた、本実施形態では同一の受電電力の情報を共有すると共に、同一のアルゴリズムを用いて計算することにより、各室外機２は、常に同一の計算結果となる。そのため、親機２ａが子機２ｂ〜２ｄに送信する必要がないので、さらに各室外機２ａ〜２ｄの発電量を制御するための処理間隔を短縮することができ、さらにシステム全体の情報処理速度を向上させることができる。
【００４８】
以上、本発明を実施するための最良の形態について述べたが、本発明は既述の実施形態に限定されるものではなく、本発明の技術思想に基づいて各種の変形および変更が可能である。
上記第１、２実施形態では、室外機を親機１ａ、子機１ｂ、１ｃ、１ｄの４台の場合について説明したが、室外機が５台以上であっても構成することができる。逆に、室外機を３台（親機１台、子機２台）で構成することもできる。
また、上記第１、２実施形態では、１台の室外機２に対して１台の室内機３を接続した場合について説明したが、１台の室外機に対して複数台の室内機が接続して構成することもできる。
【図面の簡単な説明】
【００４９】
【図１】本発明の実施の形態に係る系統連系インバータを備えた室外機の概要図である。
【図２】室外機が４つの場合の概要接続図である。
【図３】本発明の実施の形態に係る系統連系インバータの制御フローを示すフローチャートである。
【図４】第１実施形態における親機と子機とがデータを送受信する際の運用状況を示す図である。
【図５】第２実施形態における親機と子機とがデータを送受信する際の運用状況を示す図である。
【符号の説明】
【００５０】
１  エンジン駆動式空気調和装置
２  室外機
２ａ  室外機（親機）
２ｂ、２ｃ、２ｄ  室外機（子機）
３  室内機
８  スロットル弁
１０  エンジン
１１  発電機
１１ａ、１１ｂ、１１ｃ、１１ｄ  発電機
１２圧縮機  ３３  系統連系インバータ
３３ａ  親機用系統連系インバータ
３３ｂ、３３ｃ、３３ｄ  子機用系統連系インバータ
３５  商用系統
３６  商用電源
３７  ブレーカ
３８  需要家負荷
３９  室外側コントローラ
４３  電力検出器
４３ａ  ＶＴ（電圧トランスデューサ）
４３ｂ  ＣＴ（電流トランスデューサ）
５１ａ、５１ｂ、５１ｃ、５１ｄ  電源基板
５２ａ、５２ｂ、５２ｃ、５２ｄ  メイン基板
５３ａ、５３ｂ、５３ｃ、５３ｄ  インターフェース基板
５４ａ、５４ｂ、５４ｃ、５４ｄ  インバータ基板
５５ａ、５５ｂ、５５ｃ、５５ｄ  スイッチ
６０  系統連系盤
６１  ＯＶＧＲ／ＲＰＲ（地絡過電圧継電器／逆電力継電器）
６２  ＵＰＲ（不足電力継電器）
６４  Ｗ／ＴＤ（ワット・トランスデューサ）
７１  ユニット間通信
７２  インバータ間通信
８０  遠隔監視盤
１００  空調・発電システム
【図１】
0004733547.tif 000002
【図２】
0004733547.tif 000003
【図３】
0004733547.tif 000004
【図４】
0004733547.tif 000005
【図５】
0004733547.tif 000006